(57)【要約】【課題】反射ミラーあるいは取付部材の脱落を抑制しつつ、部品点数の増加を抑制できる構造を有するプロジェクターを提供する。【解決手段】本発明のプロジェクターの一つの態様は、反射ミラーに取り付けられた取付部材を備え、取付部材は、反射ミラーにおける反射面と反対側において、反射面と略平行な方向に延びた延出部と、延出部の延出方向一方側の端部から反射ミラー側に延びた第１接触部と、延出部の延出方向他方側の端部から反射ミラー側に延びた第２接触部と、を有し、第１接触部は、反射ミラーの延出方向一方側の端部と接触する第１接触面を有し、第２接触部は、反射ミラーの延出方向他方側の端部と接触する第２接触面を有し、第１接触面は、延出部に向かって延出方向一方側に傾く傾斜面であり、第２接触面は、延出部に向かって延出方向他方側に傾く傾斜面であることを特徴とする。【選択図】図６
2017129732.tif 000002
【特許請求の範囲】
【請求項１】
光を射出する光源装置と、
前記光源装置から射出された光を反射させる反射面を有する反射ミラーと、
前記反射ミラーにより反射された光を変調する光変調装置と、
前記光変調装置によって変調された光を投射する投射光学装置と、
前記反射ミラーに取り付けられた取付部材と、
を備え、
前記取付部材は、
前記反射ミラーにおける前記反射面と反対側において、前記反射面と略平行な方向に延びた延出部と、
前記延出部の延出方向一方側の端部から前記反射ミラー側に延びた第１接触部と、
前記延出部の延出方向他方側の端部から前記反射ミラー側に延びた第２接触部と、
を有し、
前記第１接触部は、前記反射ミラーの前記延出方向一方側の端部と接触する第１接触面を有し、
前記第２接触部は、前記反射ミラーの前記延出方向他方側の端部と接触する第２接触面を有し、
前記第１接触面は、前記延出部に向かって前記延出方向一方側に傾く傾斜面であり、
前記第２接触面は、前記延出部に向かって前記延出方向他方側に傾く傾斜面であることを特徴とするプロジェクター。
【請求項２】
前記延出部は、前記延出部を貫通し前記反射ミラーと対向する貫通孔を有し、
前記延出部の前記反射ミラー側の面は、前記反射ミラーと接触し、
前記反射ミラーは、前記貫通孔の前記反射ミラー側の開口を閉塞している、請求項１に記載のプロジェクター。
【請求項３】
前記延出部は、前記延出部の前記反射ミラー側の面から前記反射ミラーと反対側に窪み前記貫通孔の内縁と接続された凹部を有する、請求項２に記載のプロジェクター。
【請求項４】
前記第１接触部は、
前記延出部に接続された接続部と、
前記接続部から、前記反射面と略平行で前記延出方向と直交する方向の両側に延びた腕部と、
を有し、
前記第１接触面は、前記腕部における前記腕部が延びる方向の両端にそれぞれ設けられている、請求項１から３のいずれか一項に記載のプロジェクター。
【請求項５】
前記反射ミラーおよび前記取付部材を収容する筐体をさらに備え、
前記取付部材は、前記筐体と接続され前記筐体に対する前記反射面の姿勢を調整可能な調整部を有する、請求項１から４のいずれか一項に記載のプロジェクター。
【請求項６】
前記反射ミラーおよび前記取付部材を収容する筐体と、
前記反射ミラーを透過した光を検出する検出部と、
をさらに備え、
前記取付部材は、前記検出部が保持された保持部を有する、請求項１から５のいずれか一項に記載のプロジェクター。
【発明の詳細な説明】
【技術分野】
【０００１】
本発明は、プロジェクターに関する。
【背景技術】
【０００２】
入射される光を反射させる反射面を有する反射ミラーを保持する保持部材本体を備えるプロジェクターが知られている（例えば、特許文献１参照）。
【先行技術文献】
【特許文献】
【０００３】
【特許文献１】特開２０１４−０８５３７０号公報
【発明の概要】
【発明が解決しようとする課題】
【０００４】
上記のような反射ミラーを保持するために反射ミラーに取り付けられる保持部材本体、あるいは反射ミラー自体にセンサー等を取り付けるために反射ミラーに取り付けられる部材等を含む取付部材は、例えば、接着剤等によって反射ミラーに固定される。しかし、接着剤が劣化して剥がれ、反射ミラー、あるいは取付部材が脱落する場合があった。
【０００５】
これに対して、例えば、特許文献１のプロジェクターにおいては、反射ミラーおよび保持部材本体を係止する係止部材として金属製の板バネが設けられている。しかし、この構成では、プロジェクターの部品点数が増加し、プロジェクターの組み立て性が低下する問題があった。
【０００６】
本発明の一つの態様は、上記問題点に鑑みて成されたものであって、反射ミラーあるいは取付部材の脱落を抑制しつつ、部品点数の増加を抑制できる構造を有するプロジェクターを提供することを目的の一つとする。
【課題を解決するための手段】
【０００７】
本発明の一態様のプロジェクターの一つの態様は、光を射出する光源装置と、前記光源装置から射出された光を反射させる反射面を有する反射ミラーと、前記反射ミラーにより反射された光を変調する光変調装置と、前記光変調装置によって変調された光を投射する投射光学装置と、前記反射ミラーに取り付けられた取付部材と、を備え、前記取付部材は、前記反射ミラーにおける前記反射面と反対側において、前記反射面と略平行な方向に延びた延出部と、前記延出部の延出方向一方側の端部から前記反射ミラー側に延びた第１接触部と、前記延出部の延出方向他方側の端部から前記反射ミラー側に延びた第２接触部と、を有し、前記第１接触部は、前記反射ミラーの前記延出方向一方側の端部と接触する第１接触面を有し、前記第２接触部は、前記反射ミラーの前記延出方向他方側の端部と接触する第２接触面を有し、前記第１接触面は、前記延出部に向かって前記延出方向一方側に傾く傾斜面であり、前記第２接触面は、前記延出部に向かって前記延出方向他方側に傾く傾斜面であることを特徴とする。
【０００８】
本発明の一態様のプロジェクターの一つの態様によれば、第１接触面が延出部に向かって延出方向一方側に傾く傾斜面であるため、第１接触面が反射ミラーの延出方向一方側の端部と接触することで、反射ミラーに延出部側に向けた力を加えることができる。また、第２接触面が延出部に向かって延出方向他方側に傾く傾斜面であるため、第２接触面が反射ミラーの延出方向他方側の端部と接触することで、反射ミラーに延出部側に向けた力を加えることができる。そのため、第１接触面と第２接触面とによって延出方向に挟まれた反射ミラーは、延出方向の移動が規制されると共に、延出部に押し付けられ、取付部材から外れることが抑制される。このように、他の部材を用いることなく、取付部材から反射ミラーが脱落すること、あるいは取付部材が反射ミラーから脱落することを抑制できる。したがって、本実施形態によれば、反射ミラーあるいは取付部材の脱落を抑制しつつ、部品点数の増加を抑制できる構造を有するプロジェクターが得られる。
【０００９】
前記延出部は、前記延出部を貫通し前記反射ミラーと対向する貫通孔を有し、前記延出部の前記反射ミラー側の面は、前記反射ミラーと接触し、前記反射ミラーは、前記貫通孔の前記反射ミラー側の開口を閉塞している構成としてもよい。
この構成によれば、貫通孔内に接着剤を流し込むことで、反射ミラーと取付部材とをより強固に固定できる。
【００１０】
前記延出部は、前記延出部の前記反射ミラー側の面から前記反射ミラーと反対側に窪み前記貫通孔の内縁と接続された凹部を有する構成としてもよい。
この構成によれば、反射ミラーと取付部材とにおける接着剤で固定される部分の面積を大きくでき、反射ミラーと取付部材とをより強固に固定できる。
【００１１】
前記第１接触部は、前記延出部に接続された接続部と、前記接続部から、前記反射面と略平行で前記延出方向と直交する方向の両側に延びた腕部と、を有し、前記第１接触面は、前記腕部における前記腕部が延びる方向の両端にそれぞれ設けられている構成としてもよい。
この構成によれば、腕部が弾性変形しやすく、反射ミラーを取付部材に取り付けやすい。
【００１２】
前記反射ミラーおよび前記取付部材を収容する筐体をさらに備え、前記取付部材は、前記筐体と接続され前記筐体に対する前記反射面の姿勢を調整可能な調整部を有する構成としてもよい。
この構成によれば、反射ミラーを取付部材によって筐体に設置することができる。また、反射ミラーの姿勢を調整でき、反射ミラーによって反射される光の方向の精度を向上できる。
【００１３】
前記反射ミラーおよび前記取付部材を収容する筐体と、前記反射ミラーを透過した光を検出する検出部と、をさらに備え、前記取付部材は、前記検出部が保持された保持部を有する構成としてもよい。
この構成によれば、取付部材によって反射ミラーに検出部を取り付けることができる。
【図面の簡単な説明】
【００１４】
【図１】第１実施形態のプロジェクターを示す概略構成図である。
【図２】第１実施形態の色分離導光光学系の部分を示す斜視図である。
【図３】第１実施形態の色分離導光光学系の部分を示す斜視図である。
【図４】第１実施形態の色分離導光光学系の部分を示す斜視図である。
【図５】第１実施形態の反射ミラー設置部を示す断面図である。
【図６】第１実施形態の取付部材を示す斜視図である。
【図７】第１実施形態の取付部材を示す斜視図である。
【図８】第１実施形態の取付部材を示す側面図である。
【図９】第１実施形態の取付部材を示す正面図である。
【図１０】第１実施形態の取付部材を示す正面図である。
【図１１】第２実施形態の色分離導光光学系の部分を示す斜視図である。
【図１２】第２実施形態の色分離導光光学系の部分を示す斜視図である。
【発明を実施するための形態】
【００１５】
以下、図面を参照しながら、本発明の実施形態に係るプロジェクターについて説明する。なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００１６】
＜第１実施形態＞
図１は、本実施形態に係るプロジェクター１を示す概略構成図である。図１に示すプロジェクター１は、スクリーンＳＣＲ上にカラー映像を表示する投射型画像表示装置である。プロジェクター１は、図１に示すように、光源装置１００と、色分離導光光学系２と、赤色光、緑色光、青色光の各色光に対応した液晶光変調装置（光変調装置）４００Ｒ，４００Ｇ，４００Ｂと、クロスダイクロイックプリズム５００と、投射光学装置６００と、を備える。
【００１７】
光源装置１００は、色分離導光光学系２に向けて白色光Ｗを射出する。光源装置１００の構成は、光を射出できるならば、特に限定されない。
【００１８】
色分離導光光学系２は、ダイクロイックミラー９０，９１と、反射ミラー９２，９３，９４，９５と、リレーレンズ９６，９７と、を備える。色分離導光光学系２は、光源装置１００からの白色光Ｗを赤色光Ｒ、緑色光Ｇおよび青色光Ｂに分離し、赤色光Ｒ、緑色光Ｇおよび青色光Ｂをそれぞれが対応する液晶光変調装置４００Ｒ，４００Ｇ，４００Ｂに導光する。
色分離導光光学系２と、液晶光変調装置４００Ｒ，４００Ｇ，４００Ｂとの間には、フィールドレンズ３００Ｒ，３００Ｇ，３００Ｂが配置されている。
【００１９】
ダイクロイックミラー９０は、青色光成分を通過させ、緑色光成分および赤色光成分を反射させるダイクロイックミラーである。
ダイクロイックミラー９１は、赤色光成分を通過させ、緑色光成分を反射させるダイクロイックミラーである。
【００２０】
反射ミラー９２は、緑色光成分を反射させる反射ミラーである。
反射ミラー９３は、赤色光成分を反射させる反射ミラーである。
反射ミラー９４，９５は青色光成分を反射させる反射ミラーである。
【００２１】
ダイクロイックミラー９０で反射された赤色光は、ダイクロイックミラー９１を透過して反射ミラー９３で反射され、フィールドレンズ３００Ｒを通過して赤色光用の液晶光変調装置４００Ｒの画像形成領域に入射する。
ダイクロイックミラー９０で反射された緑色光は、ダイクロイックミラー９１および反射ミラー９２でさらに反射され、フィールドレンズ３００Ｇを通過して緑色光用の液晶光変調装置４００Ｇの画像形成領域に入射する。
ダイクロイックミラー９０を通過した青色光は、リレーレンズ９６、入射側の反射ミラー９４、リレーレンズ９７、射出側の反射ミラー９５、フィールドレンズ３００Ｂを経て青色光用の液晶光変調装置４００Ｂの画像形成領域に入射する。
【００２２】
液晶光変調装置４００Ｒ，４００Ｇ，４００Ｂは、色分離導光光学系２を介して入射された光源装置１００からの白色光Ｗを画像情報に応じて変調することにより画像光を形成する。すなわち、液晶光変調装置４００Ｒ，４００Ｇ，４００Ｂは、各反射ミラーによって反射された光を変調する。液晶光変調装置４００Ｒ，４００Ｇ，４００Ｂは、それぞれ入射された各色光に対応する画像光を形成する。なお、図示を省略したが、各フィールドレンズ３００Ｒ，３００Ｇ，３００Ｂと各液晶光変調装置４００Ｒ，４００Ｇ，４００Ｂとの間には、それぞれ入射側偏光板が配置され、各液晶光変調装置４００Ｒ，４００Ｇ，４００Ｂとクロスダイクロイックプリズム５００との間には、それぞれ射出側偏光板が配置される。
【００２３】
クロスダイクロイックプリズム５００は、各液晶光変調装置４００Ｒ，４００Ｇ，４００Ｂから射出された各画像光を合成してカラー画像を形成する光学素子である。
【００２４】
このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。
【００２５】
クロスダイクロイックプリズム５００から射出されたカラー画像は、投射光学装置６００に入射される。投射光学装置６００は、入射されたカラー画像（画像光）、すなわち液晶光変調装置４００Ｒ，４００Ｇ，４００Ｂによって変調された光をスクリーンＳＣＲに向けて拡大投射する。これにより、スクリーンＳＣＲ上に画像が形成される。
【００２６】
図２は、色分離導光光学系２の部分を示す斜視図である。図２に示すように、色分離導光光学系２は、筐体３を有する。筐体３は、色分離導光光学系２の各構成部品を収容している。具体的には、筐体３は、ダイクロイックミラー９０，９１、反射ミラー９２〜９５、リレーレンズ９６，９７および後述する取付部材２０等を収容している。
【００２７】
筐体３は、筐体本体部３ａと、図示しない蓋部と、を有する。図２においては、筐体本体部３ａのみを示している。筐体本体部３ａは、底部４ａと、底部４ａから立ち上がる壁部４ｂと、を有する。壁部４ｂは、底部４ａの外縁から立ち上がる壁部と、筐体３の内部空間を仕切る壁部と、を含んでいる。
【００２８】
以下の説明においては、壁部４ｂが立ち上がる方向を鉛直方向とし、壁部４ｂに対して底部４ａ側を下側、底部４ａと反対側を上側として説明する。なお、壁部４ｂの立ち上がる方向は、鉛直方向に限定されるものではなく、「上側」、「下側」は、単に各部の位置関係を説明するための名称であって、実際の実施態様を限定しない。
【００２９】
筐体本体部３ａは、ダイクロイックミラー設置部１０，１１と、液晶光変調装置設置部７００Ｒ，７００Ｇ，７００Ｂと、反射ミラー設置部１２，１３，１４，１５と、を有する。
【００３０】
ダイクロイックミラー設置部１０は、ダイクロイックミラー９０が設置される部分である。ダイクロイックミラー設置部１１は、ダイクロイックミラー９１が設置される部分である。ダイクロイックミラー設置部１０，１１は、筐体本体部３ａ内を通る光の光路を挟む両側の壁部４ｂに形成された溝を有している。この溝にダイクロイックミラー９０，９１が上方から嵌め込まれることで、ダイクロイックミラー設置部１０，１１にダイクロイックミラー９０，９１が保持されている。
【００３１】
液晶光変調装置設置部７００Ｒは、液晶光変調装置４００Ｒが設置される部分である。液晶光変調装置設置部７００Ｇは、液晶光変調装置４００Ｇが設置される部分である。液晶光変調装置設置部７００Ｂは、液晶光変調装置４００Ｂが設置される部分である。液晶光変調装置設置部７００Ｒ，７００Ｇ，７００Ｂは、筐体本体部３ａ内を通る光の光路を挟む両側の壁部４ｂに形成された溝を有している。この溝に液晶光変調装置４００Ｒ，４００Ｇ，４００Ｂが上方から嵌め込まれることで、液晶光変調装置設置部７００Ｒ，７００Ｇ，７００Ｂに液晶光変調装置４００Ｒ，４００Ｇ，４００Ｂが保持されている。
【００３２】
反射ミラー設置部１４は、反射ミラー９４が設置される部分である。反射ミラー設置部１４は、壁部４ｂに形成された溝を有している。この溝に反射ミラー９４が上方から嵌め込まれることで、反射ミラー設置部１４に反射ミラー９４が保持されている。
【００３３】
反射ミラー設置部１２は、反射ミラー９２が設置される部分である。反射ミラー設置部１３は、反射ミラー９３が設置される部分である。反射ミラー設置部１５は、反射ミラー９５が設置される部分である。本実施形態において反射ミラー設置部１２，１３，１５の構成は、同様の構成であるため、以下の説明においては、代表して反射ミラー設置部１５についてのみ説明する場合がある。
【００３４】
図３および図４は、筐体本体部３ａの部分を示す拡大斜視図である。図５は、反射ミラー設置部１５を示す断面図である。図４および図５においては、反射ミラー設置部１５に反射ミラー９５が設置された状態を示している。
【００３５】
図３および図４に示すように、反射ミラー設置部１５には、取付部材２０を介して反射ミラー９５が設置されている。図４に示すように、反射ミラー９５は、光源装置１００から射出された光を反射させる反射面９５ａを有する。反射ミラー９５は、例えば、反射面９５ａが鉛直方向と略平行である。反射ミラー９５の形状は、反射面９５ａと平行で鉛直方向と直交する方向に長い長方形状である。取付部材２０については、後段において詳述する。図３および図５に示すように、反射ミラー設置部１５は、第１収容凹部１５ａと、調整穴部１５ｂと、第２収容凹部１５ｃと、第３収容凹部１５ｄと、を有する。
【００３６】
第１収容凹部１５ａ、第２収容凹部１５ｃおよび第３収容凹部１５ｄは、筐体本体部３ａの壁部４ｂの内側面に形成された窪みである。第１収容凹部１５ａ、第２収容凹部１５ｃおよび第３収容凹部１５ｄは、上側および筐体本体部３ａの内側に開口している。本実施形態において第２収容凹部１５ｃは、２つ設けられており、壁部４ｂの内側面と平行で鉛直方向と直交する方向に、第１収容凹部１５ａを挟んで配置されている。図５に示すように、壁部４ｂの内側面に垂直な方向に沿って視て、第１収容凹部１５ａ、第２収容凹部１５ｃおよび第３収容凹部１５ｄの形状は、矩形状である。
【００３７】
図３に示すように、調整穴部１５ｂは、第１収容凹部１５ａの下側の内側面に形成された穴である。調整穴部１５ｂの平面視形状は、円形状である。図５に示すように、調整穴部１５ｂの内周面は、下側に向かうに従って調整穴部１５ｂの内径が小さくなるテーパー面である。
【００３８】
図示しない蓋部は、壁部４ｂの上側に取り付けられ、筐体本体部３ａの上方を覆っている。底部４ａと壁部４ｂと蓋部とによって、筐体３内を通る各光の光路が構成されている。
【００３９】
図６から図９は、取付部材２０を示す図である。図６は、反射ミラー９５側から視た斜視図である。図７は、反射ミラー９５と反対側から視た斜視図である。図８は、側面図である。図９は、正面図である。
【００４０】
図６から図９に示す本実施形態の取付部材２０は、反射ミラー９５を保持し、反射ミラー９５を筐体３に取り付ける部材である。取付部材２０は、延出部２１と、第１接触部２２と、第２接触部２３と、調整部２４と、固定部２５と、ガイド板部２６と、を有する。
【００４１】
延出部２１は、図６から図８に示すように、反射ミラー９５の反射面９５ａと略平行な方向に延びており、その延びる方向に長い略長方形の板状である。延出部２１は、反射ミラー９５における反射面９５ａと反対側（−Ｘ側）に位置している。
【００４２】
以下の説明においては、延出部２１の延びる方向、すなわち延出部２１の長手方向を単に「延出方向」と呼ぶ場合があり、延出部２１の短手方向を単に「幅方向」と呼ぶ場合があり、延出部２１の厚み方向を単に「厚み方向」と呼ぶ場合がある。
【００４３】
本実施形態において延出方向は、各図に示す３次元直交座標系（ＸＹＺ座標系）のＺ軸方向に対応する。幅方向は、延出方向と直交する方向であり、Ｙ軸方向に対応する。厚み方向は、延出方向および幅方向の両方と直交する方向であり、Ｘ軸方向に対応する。延出方向は、例えば、鉛直方向である。すなわち、壁部４ｂが立ち上がる方向と延出方向とは、略平行である。
【００４４】
本実施形態においては、延出方向の正の側（＋Ｚ側）を鉛直方向の上側、延出方向の負の側（−Ｚ側）を鉛直方向の下側として説明する。また、本実施形態においては、厚み方向の正の側（＋Ｘ側）を「前側」と呼ぶ場合があり、厚み方向の負の側（−Ｘ側）を「後側」と呼ぶ場合がある。「前側」、「後側」は、単に各部の位置関係を説明するための名称であって、実際の実施態様を限定しない。
【００４５】
延出部２１は、貫通孔２１ｃを有する。貫通孔２１ｃは、延出部２１を厚み方向（Ｘ軸方向）に貫通している。貫通孔２１ｃは、反射ミラー９５と対向している。より詳細には、貫通孔２１ｃは、反射ミラー９５の反射面９５ａと反対側の裏面９５ｂと対向している。本実施形態において貫通孔２１ｃの形状は、例えば、円形状である。
【００４６】
図６および図８に示すように、貫通孔２１ｃは、反射ミラー９５側（＋Ｘ側）の端部に、拡径部２１ｄを有する。拡径部２１ｄは、反射ミラー９５側に向かうに従って貫通孔２１ｃの内径が大きくなる部分である。本実施形態において貫通孔２１ｃは、例えば、２つ形成されている。２つの貫通孔２１ｃは、延出部２１の幅方向（Ｙ軸方向）の中心を挟んで両側に形成されている。
【００４７】
延出部２１は、凹部２１ｅを有する。凹部２１ｅは、延出部２１の前側（＋Ｘ側）の表面２１ａから反射ミラー９５と反対側（−Ｘ側）に窪んでいる。凹部２１ｅは、貫通孔２１ｃの内縁と接続されている。より詳細には、凹部２１ｅは、拡径部２１ｄの反射ミラー９５側（＋Ｘ側）の端部における内縁と接続されている。本実施形態において凹部２１ｅは、貫通孔２１ｃの内縁から貫通孔２１ｃの径方向外側に拡がる円環状である。凹部２１ｅと貫通孔２１ｃとは、例えば、同心である。本実施形態において凹部２１ｅは、２つの貫通孔２１ｃのそれぞれに対応して２つ形成されている。
【００４８】
図６および図７に示すように、延出部２１は、延出部２１を厚み方向（Ｘ軸方向）に貫通する第１孔部２１ｆ、第２孔部２１ｇおよび第３孔部２１ｉを有する。第１孔部２１ｆは、延出部２１の幅方向（Ｙ軸方向）の中央に形成されている。第１孔部２１ｆは、延出部２１の下側（−Ｚ側）の端部から上側（＋Ｚ側）に延びている。第１孔部２１ｆの上端は、延出部２１の延出方向（Ｚ軸方向）のほぼ中央に位置している。第１孔部２１ｆの形状は、延出方向に長い略長方形状である。第１孔部２１ｆには、下側から上側に向かって第１孔部２１ｆの幅方向の寸法が大きくなる段差が設けられている。
【００４９】
第２孔部２１ｇは、第１孔部２１ｆを挟んで幅方向（Ｙ軸方向）の両側に形成されている。第２孔部２１ｇは、延出部２１の下側（−Ｚ側）の端部に形成されている。第２孔部２１ｇの形状は、幅方向に長い長方形状である。
【００５０】
第３孔部２１ｉは、図６に示すように、第１孔部２１ｆの上側（＋Ｚ側）に形成されている。第３孔部２１ｉの幅方向（Ｙ軸方向）の寸法は、第２孔部２１ｇの幅方向の寸法よりも大きい。第３孔部２１ｉの形状は、略正方形状である。
【００５１】
図９に示すように、延出部２１の上側（＋Ｚ側）の端部における幅方向（Ｙ軸方向）の両端には、下側（−Ｚ側）から上側に向かって延出部２１の幅方向の寸法が小さくなる段差部２２ｈが形成されている。
【００５２】
第１接触部２２は、図８に示すように、延出部２１の上側（延出方向一方側）の端部から反射ミラー９５側（＋Ｘ側）に延びている。第１接触部２２の前側（＋Ｘ側）の端部は、反射ミラー９５よりも前側に位置している。図６および図７に示すように、第１接触部２２は、接続部２２ａと、腕部２２ｂと、第１係合部２２ｃと、を有する。
【００５３】
接続部２２ａは、延出部２１に接続された部分である。接続部２２ａは、延出部２１の上側（＋Ｚ側）の端部における幅方向（Ｙ軸方向）の中央から前側（＋Ｘ側）に延びている。接続部２２ａは、例えば、直方体状である。図６に示すように、接続部２２ａの前側の端部である規制部２２ｅは、反射ミラー９５の上側の端部と延出方向（Ｚ軸方向）に対向している。規制部２２ｅは、腕部２２ｂに対して下向き（−Ｚ向き）に突出している。
【００５４】
腕部２２ｂは、接続部２２ａの幅方向（Ｙ軸方向）の両側に延びている。言い換えると、腕部２２ｂは、反射ミラー９５の反射面９５ａと略平行で延出方向（Ｚ軸方向）と直交する方向（Ｙ軸方向）の両側に延びている。腕部２２ｂは、接続部２２ａの前側（＋Ｘ側）の端部に接続されている。腕部２２ｂは、延出部２１よりも前側に位置している。腕部２２ｂは、例えば、細長の直方体状である。延出部２１の延出方向（Ｚ軸方向）において、腕部２２ｂの寸法は、接続部２２ａの寸法よりも小さい。
【００５５】
第１係合部２２ｃは、腕部２２ｂの幅方向（Ｙ軸方向）の両端にそれぞれ設けられている。第１係合部２２ｃは、腕部２２ｂの幅方向の両端から下側に突出している。図９に示すように、第１係合部２２ｃの幅方向の端部の位置は、幅方向において、延出部２１の幅方向の端部の位置とほぼ同じである。第１係合部２２ｃは、段差部２２ｈにおける上側（＋Ｚ側）に臨む第１段差面２２ｊと隙間を介して延出方向（Ｚ軸方向）に対向している。第１係合部２２ｃは、段差部２２ｈにおける幅方向（Ｙ軸方向）に臨む第２段差面２２ｋと隙間を介して幅方向に対向している。
【００５６】
図６に示すように、第１係合部２２ｃは、第１接触面２２ｄを有する。本実施形態において第１係合部２２ｃは、腕部２２ｂの幅方向（Ｙ軸方向）の両端にそれぞれ設けられているため、第１接触面２２ｄは、腕部２２ｂにおける腕部２２ｂが延びる方向（Ｙ軸方向）の両端にそれぞれ設けられている。
【００５７】
第１接触面２２ｄは、図８に示すように、第１係合部２２ｃの下側（−Ｚ側）の面の一部である。第１接触面２２ｄは、下側および後側（−Ｘ側）に臨んでいる。第１接触面２２ｄは、前側（＋Ｘ側）から後側（−Ｘ側）に向かうに従って上側（＋Ｚ側）位置する傾斜面である。言い換えると、第１接触面２２ｄは、延出部２１に向かって上側（延出方向一方側）に傾く傾斜面である。第１接触面２２ｄの後側（−Ｘ側）の部分は、第１段差面２２ｊと隙間を介して延出方向（Ｚ軸方向）に対向している。第１接触面２２ｄは、反射ミラー９５の上側（延出方向一方側）の端部と接触している。
【００５８】
第１係合部２２ｃは、突出部２２ｆを有する。突出部２２ｆは、第１係合部２２ｃの前側（＋Ｘ側）の端部に位置しており、下側（−Ｚ側）に向けて突出している。突出部２２ｆは、第１接触面２２ｄの前側の端部と接続されている。突出部２２ｆは、直方体状である。
【００５９】
第１係合部２２ｃの一部は、反射ミラー９５の前側（＋Ｘ側）において、反射ミラー９５と厚み方向（Ｘ軸方向）に重なっている。本実施形態においては、例えば、第１接触面２２ｄの前側の端部および突出部２２ｆが、反射ミラー９５の前側において、反射ミラー９５と厚み方向に重なっている。これにより、第１係合部２２ｃは、反射ミラー９５に係合されている。
【００６０】
第２接触部２３は、延出部２１の下側（延出方向他方側）の端部から反射ミラー９５側（＋Ｘ側）に延びている。第２接触部２３の前側（＋Ｘ側）の端部は、反射ミラー９５よりも前側に位置している。図６に示すように、第２接触部２３は、基部２３ａと、第２係合部２３ｂと、を有する。
【００６１】
基部２３ａは、延出部２１の下側（−Ｚ側）の端部から前側（＋Ｘ側）に延びている。基部２３ａは、幅方向（Ｙ軸方向）に長い細長の長方形板状である。基部２３ａは、延出部２１の下側の端部の幅方向一端から幅方向他端まで延びている。
【００６２】
第２係合部２３ｂは、基部２３ａの上面から上側（＋Ｚ側）に突出している。図８に示すように、第２係合部２３ｂは、延出部２１から前側（＋Ｘ側）に離れて設けられている。第２係合部２３ｂの前側の端部の位置は、厚み方向（Ｘ軸方向）において、基部２３ａの前側の端部の位置と同じである。
【００６３】
第２係合部２３ｂは、第２接触面２３ｃを有する。第２接触面２３ｃは、第２係合部２３ｂの後側（−Ｘ側）の面である。第２接触面２３ｃは、上側（＋Ｚ側）および後側に臨んでいる。第２接触面２３ｃは、前側（＋Ｘ側）から後側に向かうに従って下側（−Ｚ側）位置する傾斜面である。言い換えると、第２接触面２３ｃは、延出部２１に向かって下側（延出方向他方側）に傾く傾斜面である。第２接触面２３ｃの後側（−Ｘ側）の端部は、基部２３ａの上面と接続されている。第２接触面２３ｃは、反射ミラー９５の下側（延出方向他方側）の端部と接触している。
【００６４】
図６に示すように、本実施形態において第２係合部２３ｂは、例えば、３つ設けられている。３つの第２係合部２３ｂは、幅方向（Ｙ軸方向）に沿って間隔を空けて配置されている。幅方向に並ぶ３つの第２係合部２３ｂのうち中央の第２係合部２３ｂは、幅方向（Ｙ軸方向）において、基部２３ａの中央に位置し、延出部２１の第１孔部２１ｆと厚み方向（Ｘ軸方向）に重なっている。幅方向に並ぶ３つの第２係合部２３ｂのうち両側の第２係合部２３ｂは、それぞれ延出部２１の第２孔部２１ｇと厚み方向に重なっている。
【００６５】
図８に示すように、第２係合部２３ｂの一部は、反射ミラー９５の前側（＋Ｘ側）において、反射ミラー９５と厚み方向（Ｘ軸方向）に重なっている。本実施形態においては、例えば、第２接触面２３ｃの前側の端部が、反射ミラー９５の前側において、反射ミラー９５と厚み方向に重なっている。これにより、第２係合部２３ｂは、反射ミラー９５に係合されている。
【００６６】
上述したように、第１係合部２２ｃと第２係合部２３ｂとは、反射ミラー９５に係合されている。これにより、取付部材２０は、反射ミラー９５に取り付けられている。反射ミラー９５に取り付けられた状態において、延出部２１の反射ミラー９５側（＋Ｘ側）の面である表面２１ａは、反射ミラー９５と接触している。より詳細には、延出部２１の表面２１ａは、反射ミラー９５の裏面９５ｂと接触している。
【００６７】
反射ミラー９５は、貫通孔２１ｃの反射ミラー９５側（＋Ｘ側）の開口および凹部２１ｅの反射ミラー９５側の開口を閉塞している。図示は省略するが、貫通孔２１ｃ内および凹部２１ｅ内には、接着剤が設けられている。接着剤は、貫通孔２１ｃの内側面および凹部２１ｅの内側面と、反射ミラー９５の裏面９５ｂとを固定している。これにより、反射ミラー９５と取付部材２０とが固定されている。接着剤は、特に限定されず、例えば、エポキシ樹脂系接着剤、熱硬化性樹脂、光硬化性樹脂等である。
【００６８】
調整部２４は、図７に示すように、延出部２１の表面２１ａと反対側の裏面２１ｂに設けられている。調整部２４は、支持部２４ａと、凸部２４ｅと、突起部２４ｂと、を有する。
【００６９】
支持部２４ａは、裏面２１ｂから後側（−Ｘ側）に突出し、上側（＋Ｚ側）および後側に開口する箱状の部分である。支持部２４ａは、延出部２１の第１孔部２１ｆの上側に位置しており、延出部２１の幅方向（Ｙ軸方向）の中央に位置している。図６に示すように、支持部２４ａは、第３孔部２１ｉと厚み方向（Ｘ軸方向）に重なって配置され、第３孔部２１ｉの後側（−Ｘ側）を覆っている。
【００７０】
図５に示すように、支持部２４ａは、ほぼ全体が第１収容凹部１５ａ内に挿入されている。支持部２４ａの下面は、第１収容凹部１５ａの内側面のうち下側（−Ｚ側）の内側面から上側（＋Ｚ側）に離れた位置に配置されている。支持部２４ａの幅方向（Ｙ軸方向）の側面は、第１収容凹部１５ａの内側面のうち幅方向両側の内側面から幅方向に離れた位置に配置されている。図示は省略するが、支持部２４ａの後側（−Ｘ側）の面は、第１収容凹部１５ａの内側面のうち後側の内側面から前側（＋Ｘ側）に離れた位置に配置されている。支持部２４ａの上側の端部は、第１収容凹部１５ａよりも上側に位置している。
【００７１】
凸部２４ｅは、図７に示すように、支持部２４ａの内側に配置されている。凸部２４ｅは、支持部２４ａの下側（−Ｚ側）の壁部から上側（＋Ｚ側）に突出している。凸部２４ｅの後側（−Ｘ側）の面は、支持部２４ａの後側の面と面一である。
【００７２】
突起部２４ｂは、図８に示すように、支持部２４ａの下面から下側（−Ｚ側）に突出している。突起部２４ｂは、摺動部２４ｃと、挿入部２４ｄと、を有する。
摺動部２４ｃは、支持部２４ａの下面と接続されている。摺動部２４ｃは、下側に凸となる略半球状である。図５に示すように、摺動部２４ｃは、調整穴部１５ｂの上側の内縁と接触している。これにより、調整部２４は、筐体３と接続されている。
【００７３】
挿入部２４ｄは、摺動部２４ｃの頂部（摺動部２４ｃの下側の端部）から下側（−Ｚ側）に延びている。挿入部２４ｄは、略円柱状である。挿入部２４ｄは、調整穴部１５ｂ内に挿入されている。挿入部２４ｄの外周面は、調整穴部１５ｂの内周面と隙間を介して対向している。
【００７４】
固定部２５は、図７に示すように、延出部２１の裏面２１ｂから後側（−Ｘ側）に突出している。固定部２５は、延出方向（Ｚ軸方向）に延びている。固定部２５は、主面が幅方向（Ｙ軸方向）に臨む長方形板状である。図８に示すように、固定部２５の上側（＋Ｚ側）の端部は、支持部２４ａの上側の端部よりも下側（−Ｚ側）に位置している。固定部２５の下側の端部は、支持部２４ａの下側の端部よりも上側に位置している。図７に示すように、固定部２５は、調整部２４を幅方向に挟んで２つ設けられている。
【００７５】
図５に示すように、固定部２５は、ほぼ全体が第２収容凹部１５ｃに挿入されている。固定部２５の下面は、第２収容凹部１５ｃの内側面のうち下側（−Ｚ側）の内側面から上側（＋Ｚ側）に離れた位置に配置されている。固定部２５の幅方向（Ｙ軸方向）の側面は、第２収容凹部１５ｃの内側面のうち幅方向両側の内側面から幅方向に離れた位置に配置されている。図示は省略するが、固定部２５の後側（−Ｘ側）の面は、第２収容凹部１５ｃの内側面のうち後側の面から前側（＋Ｘ側）に離れた位置に配置されている。固定部２５の上側の端部は、第２収容凹部１５ｃよりも上側に位置している。
【００７６】
固定部２５と第２収容凹部１５ｃの内側面との間には、接着剤３０が設けられている。固定部２５と筐体本体部３ａとは、接着剤３０によって固定されている。これにより、調整部２４が筐体本体部３ａに固定され、取付部材２０および反射ミラー９５が筐体本体部３ａに固定されている。接着剤３０は、特に限定されず、貫通孔２１ｃ内に設けられた接着剤と同じであってもよいし、異なっていてもよい。
【００７７】
ガイド板部２６は、図７に示すように、延出部２１の裏面２１ｂから後側（−Ｘ側）に突出している。ガイド板部２６は、延出方向（Ｚ軸方向）に延びている。ガイド板部２６は、主面が厚み方向（Ｘ軸方向）に臨む長方形板状である。ガイド板部２６の上側（＋Ｚ側）の端部は、固定部２５の上側の端部よりも下側（−Ｚ側）に位置している。ガイド板部２６の下側の端部は、延出方向において、固定部２５の下側の端部とほぼ同じ位置にある。ガイド板部２６は、一方の固定部２５の調整部２４と反対側（＋Ｙ側）に設けられている。
【００７８】
図５に示すように、ガイド板部２６は、ほぼ全体が第３収容凹部１５ｄに挿入されている。ガイド板部２６の下面は、第３収容凹部１５ｄの内側面のうち下側の内側面から上側（＋Ｚ側）に離れた位置に配置されている。ガイド板部２６の幅方向（Ｙ軸方向）の側面は、第３収容凹部１５ｄの内側面のうち幅方向両側の内側面から幅方向に離れた位置に配置されている。図示は省略するが、ガイド板部２６の後側（−Ｘ側）の面は、第３収容凹部１５ｄの内側面のうち後側の面から前側（＋Ｘ側）に離れた位置に配置されている。
【００７９】
次に、反射ミラー９５に取付部材２０を取り付ける手順について説明する。図１０は、取付部材２０を示す正面図であり、取付部材２０の取り付け手順を説明するための説明図である。図１０に示すように、まず、反射ミラー９５の上側（＋Ｚ側）の端部を第１接触部２２の第１係合部２２ｃに係合させる。このとき、反射ミラー９５の上側の端部は、第１接触面２２ｄと接触している。反射ミラー９５を上側に押し込むと共に第２接触部２３を下側に引っ張ることで、腕部２２ｂが上側に撓むように弾性変形して、第１係合部２２ｃの位置が相対的に上側に移動する。
【００８０】
この状態で、反射ミラー９５の下部を延出部２１に近づけて、反射ミラー９５を第１接触部２２と第２接触部２３との延出方向（Ｚ軸方向）の間に入れ、反射ミラー９５の裏面９５ｂを延出部２１の表面２１ａに接触させる。反射ミラー９５の上側（＋Ｚ側）への押し込みを止めることで、腕部２２ｂから加えられる下向き（−Ｚ向き）の弾性力で反射ミラー９５が下側（−Ｚ側）に移動し、反射ミラー９５の下側の端部が第２接触部２３に係合される。このとき、反射ミラー９５の下側の端部は、第２接触面２３ｃと接触している。これにより、反射ミラー９５に取付部材２０が保持された状態となる。
【００８１】
この状態においては、反射ミラー９５を延出部２１の幅方向（Ｙ軸方向）に移動可能である。本実施形態において反射ミラー９５は幅方向に長い長方形状であるため、反射ミラー９５を反射ミラー９５の長手方向に移動可能である。
【００８２】
反射ミラー９５の幅方向（長手方向）の位置を決めた後、延出部２１の裏面２１ｂ側から、貫通孔２１ｃ内に接着剤を流し込む。貫通孔２１ｃ内に流し込まれた接着剤は、貫通孔２１ｃから凹部２１ｅ内に流れ込み、反射ミラー９５の裏面９５ｂと接触する。これにより、接着剤を硬化させることで、反射ミラー９５と取付部材２０とを互いに固定することができる。なお、例えば、接着剤がエポキシ樹脂系接着剤である場合には、接着剤を流し込んだ後に、貫通孔２１ｃ内に硬化剤を流し込み、接着剤を硬化させる。
【００８３】
次に、反射ミラー９５を反射ミラー設置部１５に設置する手順について説明する。まず、反射ミラー９５に固定された取付部材２０における調整部２４、固定部２５、およびガイド板部２６を、図５に示すようにして、反射ミラー設置部１５の各収容凹部および調整穴部１５ｂに挿入させる。このとき、例えば、調整部２４に治具を取り付けて、治具によって取付部材２０の各部を各収容凹部および調整穴部１５ｂに挿入させる。
【００８４】
各収容凹部の内側面および調整穴部１５ｂの内周面と、取付部材２０の各部との間には隙間が設けられているため、取付部材２０は、反射ミラー設置部１５に対して、わずかに動くことが可能である。
【００８５】
具体的には、摺動部２４ｃを調整穴部１５ｂの内縁に対して摺動させて、取付部材２０を、延出方向（Ｚ軸方向）に沿った軸周り（θｚ方向）、幅方向（Ｙ軸方向）に沿った軸周り（θｙ方向）、および厚み方向（Ｘ軸方向）に沿った軸周り（θｘ方向）に回動させることができる。これにより、反射ミラー９５の向きを調整することができる。このように、調整部２４によって、筐体３に対する反射ミラー９５の反射面９５ａの姿勢を調整可能である。
【００８６】
なお、各軸周りの回動は、各収容凹部および調整穴部１５ｂに挿入された取付部材２０の各部の一部が、各収容凹部の内側面および調整穴部１５ｂの内周面と接触して規制されるまでの範囲内で行うことができる。そのため、取付部材２０の筐体３に対する固定姿勢によっては、取付部材２０の各部の一部が各収容凹部の内側面および調整穴部１５ｂの内周面と接触している。また、取付部材２０の姿勢によっては、延出部２１の延出方向と壁部４ｂの立ち上がる方向とは異なる場合がある。
【００８７】
反射ミラー９５の姿勢を適切な姿勢に調整した後、固定部２５と第２収容凹部１５ｃとの隙間に接着剤３０を流し込み、固定部２５と第２収容凹部１５ｃの内側面とを固定する。これにより、取付部材２０が筐体３に対して固定され、反射ミラー９５が反射ミラー設置部１５に設置される。
【００８８】
上記説明した取付部材２０は、反射ミラー９２，９３にも取り付けられており、反射ミラー９２，９３は、取付部材２０を介して、反射ミラー設置部１２，１３に設置されている。
【００８９】
本実施形態によれば、第１接触面２２ｄが延出部２１に向かって上側に傾く傾斜面であるため、第１接触面２２ｄが反射ミラー９５の上側の端部と接触することで、反射ミラー９５に延出部２１側（後側）に向けた力を加えることができる。また、第２接触面２３ｃが延出部２１に向かって下側に傾く傾斜面であるため、第２接触面２３ｃが反射ミラー９５の下側の端部と接触することで、反射ミラー９５に延出部２１側（後側）に向けた力を加えることができる。そのため、第１接触面２２ｄと第２接触面２３ｃとによって延出方向に挟まれた反射ミラー９５は、延出方向の移動が規制されると共に、延出部２１に押し付けられ、取付部材２０から外れることが抑制される。このように、他の部材を用いることなく、取付部材２０から反射ミラー９５が脱落することを抑制できる。したがって、本実施形態によれば、反射ミラー９５の脱落を抑制しつつ、部品点数の増加を抑制できる構造を有するプロジェクター１が得られる。特に、延出部２１の延出方向が略鉛直方向である場合、取付部材２０によって反射ミラー９５を上下方向に挟んで保持することができるため、反射ミラー９５の脱落をより抑制できる。
【００９０】
また、本実施形態によれば、延出部２１は、反射ミラー９５側の開口が反射ミラー９５によって閉塞された貫通孔２１ｃを有する。そのため、取付部材２０を反射ミラー９５に取り付けた後に、貫通孔２１ｃから接着剤を流し込むことで、取付部材２０と反射ミラー９５とを強固に固定することができる。
【００９１】
また、本実施形態によれば、延出部２１は、貫通孔２１ｃの内縁と接続された凹部２１ｅを有する。そのため、貫通孔２１ｃから接着剤を流し込むことで、凹部２１ｅ内にも接着剤を流し込むことができ、取付部材２０と反射ミラー９５とにおける接着剤との接着面積を大きくすることができる。したがって、接着剤によって、取付部材２０と反射ミラー９５とをより強固に固定することができる。
【００９２】
本実施形態においては、上述したように接着剤を用いない場合であっても、反射ミラー９５に対して取付部材２０を安定して取り付けておきやすい。そのため、貫通孔２１ｃから流し込まれた接着剤が劣化して、接着剤による取付部材２０と反射ミラー９５との固定が外れた場合であっても、反射ミラー９５が脱落することを抑制できる。また、接着剤を流し込んでから接着剤が硬化するまでの間に、治具等を用いて反射ミラー９５と取付部材２０とを固定しておく必要がなく、簡便である。
【００９３】
また、本実施形態によれば、第１接触部２２は、延出部２１との接続部２２ａから幅方向両側に延びる腕部２２ｂを有し、腕部２２ｂの幅方向両端に第１接触面２２ｄが設けられている。そのため、第１接触面２２ｄに延出方向の力が加えられると、腕部２２ｂが弾性変形しやすい。これにより、反射ミラー９５に取付部材２０を取り付ける際に、腕部２２ｂを弾性変形させて、反射ミラー９５に取付部材２０を取り付けやすくできる。また、反射ミラー９５の寸法に誤差が生じた場合であっても、腕部２２ｂが弾性変形することで、誤差を吸収でき、安定して取付部材２０を反射ミラー９５に取り付けることができる。
【００９４】
また、反射ミラー９５に対して第１接触面２２ｄから下向きに腕部２２ｂの弾性力を加えることができる。これにより、反射ミラー９５を第１接触面２２ｄおよび第２接触面２３ｃに押し付けることができ、結果として反射ミラー９５を延出部２１に押し付けることができる。したがって、より安定して取付部材２０を反射ミラー９５に取り付けることができる。
【００９５】
また、本実施形態によれば、接続部２２ａにおける規制部２２ｅが反射ミラー９５の上側の端部と延出方向に対向している。そのため、図９に示すように、第１係合部２２ｃに係合された状態で反射ミラー９５が取付部材２０に対して上側に押し上げられた際、反射ミラー９５が取付部材２０に対してある程度上側に移動すると、反射ミラー９５の上側の端部が規制部２２ｅと接触し、反射ミラー９５の移動が規制される。これにより、腕部２２ｂが大きく弾性変形することが抑制され、腕部２２ｂが破損することが抑制される。なお、反射ミラー９５が取付部材２０に対して上側に押し上げられる場合とは、取付部材２０を反射ミラー９５に取り付ける際に反射ミラー９５を上側に押し込む場合に加えて、反射ミラー９５に取付部材２０を取り付けた後、何らかの外力によって反射ミラー９５が上側に押し上げられるような場合を含む。
【００９６】
また、本実施形態によれば、取付部材２０が調整部２４を有するため、反射ミラー９５の姿勢を調整でき、反射ミラー９５の光軸を調整できる。これにより、反射ミラー９５によって、液晶光変調装置４００Ｂに対して精度よく青色光Ｂを導くことができる。同様にして、反射ミラー９２，９３の光軸を調整できるため、反射ミラー９２，９３によって、液晶光変調装置４００Ｇ，４００Ｒに対して精度よく緑色光Ｇおよび赤色光Ｒを導くことができる。
【００９７】
また、本実施形態によれば、第１係合部２２ｃには、突出部２２ｆが設けられている。そのため、反射ミラー９５が第１接触面２２ｄに沿って前側に移動した場合であっても、反射ミラー９５の前側の移動が突出部２２ｆによって規制される。したがって、反射ミラー９５が取付部材２０から外れることをより抑制できる。
【００９８】
なお、本実施形態においては、以下の構成を採用することもできる。
【００９９】
凹部２１ｅは形成されていなくてもよい。また、反射ミラー９５と取付部材２０とは、接着剤で固定されていなくてもよい。この場合、貫通孔２１ｃは形成されていなくてもよい。また、この場合、接着剤以外の固定方法によって反射ミラー９５と取付部材２０とが固定されてもよい。
【０１００】
第１接触部２２の構成は、第２接触部２３を延出方向に反転させた構成であってもよいし、第２接触部２３の構成は、第１接触部２２を延出方向に反転させた構成であってもよい。
【０１０１】
また、反射ミラー９５の筐体３に対する姿勢は、延出方向（Ｚ軸方向）に沿った軸周り（θｚ方向）、幅方向（Ｙ軸方向）に沿った軸周り（θｙ方向）、および厚み方向（Ｘ軸方向）に沿った軸周り（θｘ方向）のうちのいずれか１つ、あるいは２つのみに調整できる構成であってもよい。
また、固定部２５およびガイド板部２６は設けられていなくてもよい。
【０１０２】
また、上記説明においては、反射ミラーのうち、反射ミラー９２，９３，９５の３つが取付部材２０によって筐体３に取り付けられる構成としたが、これに限られない。取付部材２０によって取り付けられる反射ミラーは、少なくとも１つ以上あればよい。また、すべての反射ミラーが、取付部材２０によって筐体３に取り付けられてもよい。
【０１０３】
＜第２実施形態＞
第２実施形態は、第１実施形態に対して、取付部材が反射ミラーに検出部を取り付けるための部材である点において異なる。なお、上記実施形態と同様の構成については、適宜同一の符号を付す等により説明を省略する場合がある。
【０１０４】
図１１および図１２は、本実施形態の色分離導光光学系１０２の部分を示す斜視図である。図１１は、取付部材１２０から検出部１４０が取り外された状態を示している。
本実施形態において筐体本体部１０３ａは、図１１および図１２に示すように、反射ミラー設置部１１５を有する。
【０１０５】
反射ミラー設置部１１５は、筐体本体部１０３ａの壁部１０４ｂに設けられた溝であり、その溝に反射ミラー９５が嵌め込まれている。これにより、本実施形態においては、反射ミラー９５が反射ミラー設置部１１５に直接固定されている。
【０１０６】
本実施形態の取付部材１２０は、検出部１４０を反射ミラー９５に対して取り付けるための部材である。取付部材１２０の反射ミラー９５への取り付け方法は、第１実施形態の取付部材２０と同様である。取付部材１２０は、保持部１２７を有する。
【０１０７】
保持部１２７は、延出部２１の裏面２１ｂに設けられている。保持部１２７は、中空であり、保持部１２７の内部空間は、延出部２１の第３孔部２１ｉ（図６参照）と連通している。図１１に示すように、保持部１２７は、導光孔部１２７ａを有する。導光孔部１２７ａは、保持部１２７の壁部を貫通して、保持部１２７の内部空間と外部空間とを連通している。導光孔部１２７ａの形状は、例えば、矩形状である。
【０１０８】
図１２に示すように、色分離導光光学系１０２は、検出部１４０を有する。
検出部１４０は、基板１４１と、コネクター１４２と、を有する。
基板１４１は、取付部材１２０の保持部１２７に固定されている。これにより、検出部１４０は、保持部１２７に保持されている。基板１４１は、導光孔部１２７ａを閉塞している。
【０１０９】
基板１４１の保持部１２７側の面には、図示しない光検出センサーが設けられている。光検出センサーは、導光孔部１２７ａに面している。反射ミラー９５を透過した光は、延出部２１の第３孔部２１ｉから保持部１２７の内部空間に入射する。光検出センサーは、保持部１２７の内部空間に入射した光を、導光孔部１２７ａを介して検出する。このようにして、検出部１４０は、反射ミラー９５を透過した光を検出する。
【０１１０】
コネクター１４２は、基板１４１の保持部１２７と反対側の面に設けられている。コネクター１４２には、図示しない電源および制御装置等が接続されており、コネクター１４２を介して、基板１４１への電源の供給および光検出センサーが検出した情報の制御装置への伝達が行われる。
【０１１１】
本実施形態によれば、第１実施形態と同様に、取付部材１２０が反射ミラー９５から外れることを抑制できる。これにより、筐体本体部１０３ａに固定された反射ミラー９５に対して取付部材１２０が脱落することを抑制しつつ、プロジェクターの部品点数が増加することを抑制できる。取付部材１２０の脱落を抑制できるため、結果として、取付部材１２０に保持された検出部１４０の脱落を抑制することができる。
【０１１２】
また、本実施形態によれば、検出部１４０の基板１４１が、導光孔部１２７ａを閉塞しているため、保持部１２７の内部に埃等が入り込むことを抑制できる。これにより、検出部１４０の光検出センサーに埃等が付着して検出精度が低下することを抑制できる。
【０１１３】
なお、本実施形態においては、以下の構成を採用することもできる。
【０１１４】
取付部材１２０は、検出部１４０以外の部品を反射ミラー９５に取り付ける部材であってもよい。また、取付部材１２０は、検出部１４０を保持する保持部１２７に加えて、筐体本体部１０３ａに固定される部分を有していてもよい。
【０１１５】
また、本実施形態においては、各反射ミラーの少なくとも１つに取付部材１２０が取り付けられていればよく、例えば、一部の反射ミラーが第１実施形態の取付部材２０によって筐体本体部１０３ａに取り付けられていてもよい。
【０１１６】
なお、上記の各実施形態において、透過型のプロジェクターに本発明を適用した場合の例について説明したが、本発明は、反射型のプロジェクターにも適用することも可能である。ここで、「透過型」とは、液晶パネル等を含む液晶光変調装置が光を透過するタイプであることを意味する。「反射型」とは、液晶光変調装置が光を反射するタイプであることを意味する。
【０１１７】
また、上記の各実施形態では、３つの液晶光変調装置４００Ｒ，４００Ｇ，４００Ｂを備えるプロジェクター１を例示したが、１つの液晶光変調装置でカラー映像を表示するプロジェクター、および４つ以上の液晶光変調装置でカラー映像を表示するプロジェクターに適用することも可能である。また、光変調装置として、デジタルミラーデバイス（ＤＭＤ）を用いてもよい。また、波長変換素子を、量子ロッドを用いた波長変換素子としてもよい。また、波長変換装置を透過型の波長変換装置としてもよい。
【０１１８】
また、上記説明した各構成は、相互に矛盾しない範囲内において、適宜組み合わせることができる。
【符号の説明】
【０１１９】
１…プロジェクター、３…筐体、２０，１２０…取付部材、２１…延出部、２１ｃ…貫通孔、２１ｅ…凹部、２２…第１接触部、２２ａ…接続部、２２ｂ…腕部、２２ｄ…第１接触面、２３…第２接触部、２３ｃ…第２接触面、２４…調整部、９２，９３，９４，９５…反射ミラー、９５ａ…反射面、１００…光源装置、１２７…保持部、１４０…検出部、４００Ｒ，４００Ｇ，４００Ｂ…液晶光変調装置（光変調装置）、６００…投射光学装置
【図１】
2017129732.tif 000003
【図２】
2017129732.tif 000004
【図３】
2017129732.tif 000005
【図４】
2017129732.tif 000006
【図５】
2017129732.tif 000007
【図６】
2017129732.tif 000008
【図７】
2017129732.tif 000009
【図８】
2017129732.tif 000010
【図９】
2017129732.tif 000011
【図１０】
2017129732.tif 000012
【図１１】
2017129732.tif 000013
【図１２】
2017129732.tif 000014